(57)【特許請求の範囲】
【請求項１】
中空部材で形成された引出し側壁部（１０）、木製の引出し壁部（１１）、および該引出し壁部（１１）の両端部に固定され、前記引出し壁部（１１）を前記引出し側壁（１０）に接続する装着部分（１４）を含んだ引出し（３）であって、
前記引出し側壁（１０）は、前記装着部分（１４）を受ける陥没部（１５）を有しており、
木製の前記引出し壁部（１１）は、前記装着部分（１４）を有した端部で、前記中空部材で形成された引出し側壁（１０）の前記陥没部（１５）内に突出しており、
取り付け状態で、前記装着部分（１４）は前記陥没部（１５）内に完全に収容され、
引出し壁部（１１）の端部は、前記引出し側壁部（１０）の壁厚内に存在することを特徴とする引出し。
【請求項２】
前記装着部分（１４）を受けるための保持要素（２０）は、前記陥没部（１５）の部位内で前記引出し側壁部（１０）上に配置されることを特徴とする請求項１記載の引出し。
【請求項３】
装着部分（１４）は、前記引出し側壁部（１０）に配置された前記保持要素（２０）を受けるように提供されている開口部（１６）を備えた固定肢板（２１）を有していることを特徴とする請求項２記載の引出し。
【請求項４】
前記引出し側壁部（１０）の前記保持要素（２０）は、前記開口部（１６）の背後で係合することを特徴とする請求項３記載の引出し。
【請求項５】
前記保持要素（２０）は、前記固定肢板（２１）の前記開口部（１６）にスナップにより係合することができる掛け留め要素の形状であることを特徴とする請求項３または４記載の引出し。
【請求項６】
前記固定肢板（２１）の前記開口部（１６）は、前記装着部分（１４）の少なくとも１つのスペーサ脚部（１８）によって、前記引出し壁部（１１）の端部から離されていることを特徴とする請求項３から５のいずれかに記載の引出し。
【請求項７】
前記装着部分（１４）は、前記引出し壁部（１１）のための少なくとも１つの固定箇所（１９）を有していることを特徴とする請求項１から６のいずれかに記載の引出し。
【請求項８】
前記少なくとも１つの固定箇所（１９）は、前記装着部分（１４）の舌部にあり、
該固定箇所（１９）はネジを通過させる開口形状であり、該ネジは前記引出し壁部（１１）内に貫通することができることを特徴とする請求項７記載の引出し。
【請求項９】
前記装着部分（１４）の高さは、前記引出し壁部（１１）の高さと同じであることを特徴とする請求項１から８のいずれかに記載の引出し。
【請求項１０】
前記装着部分（１４）は略Ｌ形状であり、
前記引出し壁部（１１）の端部領域は該Ｌ形状部分に支持されることを特徴とする請求項１から９のいずれかに記載の引出し。
【請求項１１】
前記引出し壁部（１１）は、前記引出し側壁部（１０）に対して横方向に延出し、
引出し後壁部（１１ａ）の形状であることを特徴とする請求項１から１０のいずれかに記載の引出し。
【請求項１２】
前記引出し側壁部（１０）は、内側壁部（１０ａ）と外側壁部（１０ｂ）とを有しており、
該壁部（１０ａ、１０ｂ）は互いに対して略平行に延出していることを特徴とする請求項１から１１のいずれかに記載の引出し。
【請求項１３】
組み立て位置にて、前記装着部分（１４）は前記内側壁部（１０ａ）と前記外側壁部（１０ｂ）との間に存在することを特徴とする請求項１２記載の引出し。
【請求項１４】
前記引出し側壁部（１０）の前記陥没部（１５）は、平面視にて略Ｕ形状であり、
該陥没部（１５）のＵ形状は、２つの肢板部（２２、２３）と、該肢板部（２２、２３）を接続する帯体（２４）とによって形成され、
該肢板部（２２、２３）は本引出しの長手方向（Ｘ）に対して横方向に延出していることを特徴とする請求項１から１３のいずれかに記載の引出し。
【請求項１５】
前記引出し側壁部（１０）の後端部には、該引出し側壁部（１０）に位置が固定された関係で接続されているカバーキャップ（２５）が配置されており、
肢板部（２２）は、該カバーキャップ（２５）上に形成されていることを特徴とする請求項１から１４のいずれかに記載の引出し。
【請求項１６】
請求項１から１５のいずれかに記載の引出しを少なくとも１つ含んでいることを特徴とする家具。
【発明の詳細な説明】
【技術分野】
【０００１】
本発明は、引出し側壁部と、木製の引出し壁部と、引出し壁部の２端部の一方に固定され、木製の引出し壁部を引出し側壁部に接続する装着部分とを含んだ引出しに関する。
【０００２】
本発明はさらに以下で説明する少なくとも１つの引出しを含んだ家具に関する。
【背景技術】
【０００３】
引出し後壁部を引出し側壁部に接続する接続装着具は、ＷＯ２０１０／０３６２１５Ａ２、ＤＥ９３１１４３６Ｕ１、ＵＳ１９３６７３３、ＤＥ２０２００９００４９８２Ｕ１、ＥＰ１９３２４４８Ａ２、およびＤＥ２０２００７００１７８１Ｕ１において解説されている。
【０００４】
本出願人のＥＰ０６６４９８２Ｂ１は、引出し後壁部を、中空部材の形態である引出し側壁部に固定する接続装着具を解説する。引出し後壁部は木製であり、あるいは押し出し成型プラスチック製であり、接続装着具によって引出し側壁部に固定できる。この場合、引出し後壁部は所望の長さに切断でき、敏速組み立て手順で接続装着具によって接続できる。接続装着具は収容体状部分を有しており、その側壁部には引出し側壁部に配置される固定ピンを受領する複数の穴が提供されている。この接続装着具は非常に実用性が高いことが証明されているが、接続装着具は製造時に何回も曲げられなければならず、組み立て位置に比較的に大量の構造的空間を必要とする。
【発明の概要】
【発明が解決しようとする課題】
【０００５】
従って、本発明の目的は、上記の弱点を回避することができる、本明細書の初頭に記した一般的なタイプの引出しを提供することである。
【課題を解決するための手段】
【０００６】
本発明によれば、この目的は請求項１の特徴によって達成される。さらなる実施形態は従属請求項において記載されている。
【０００７】
本発明によれば、引出し側壁部は装着部分を受領する陥没部を有する。木製の引出し壁部は、装着部分を有する端部を備えた引出し側壁部の陥没部内に突起する。
【０００８】
言い換えると、引出し側壁部の陥没部に配置されるコンパクトな装着部分が提供され、この場合には装着部分は引出し側壁部と木製の引出し壁部の両方に接続される。引出し壁部の１端部領域も引出し側壁部の陥没部内に突出する。よって、組み立て状態の装着部分は陥没部内に完全受領されることができ、木製の引出し壁部の端部も引出し側壁部の壁部内に収容される。この構造では、引出し壁部は引出し側壁部に直接的に当接し、取り付け状態の装着部分は引出しの内側からは見えない。
【０００９】
陥没部の領域では、引出し側壁部は装着部分を受領するための保持要素を有することができ、装着部分は能動的ロック関係及び／又は作用力ロック関係で引出し側壁部に固定される。その目的で、装着部分は引出し側壁部に提供された保持要素を受領するための開口部を備えた固定肢板を有することができる。この構造では、装着部分の開口部は、引出し側壁部の保持要素が開口部の背後で係合できるように配置されている。
【００１０】
１実施形態においては、保持要素は掛け留め要素であり、固定肢板の開口部にスナップ式に係合できる。プラスチックを含む掛け留め要素は弾性的に変形可能であり、工具を使用せずに装着部分の開口部で掛け留め可能である。
【００１１】
引出し側壁部は金属製またはプラスチック製の中空洞形態であり、引出し壁部は引出し側壁部に対して横方向に延出しており、好適には引出し後壁部の形態である。同様に、引出し壁部は、引出し側壁部の前端に接続される引出しの前壁部または前方パネルの形態でよい。この場合には、前壁部を固定する保持要素は引出し壁部の前端部領域に配置されなければならないであろう。
【００１２】
本発明の家具は、少なくとも１つのこの種の引出しを有している。
【００１３】
本発明のさらなる詳細と利点は、添付図面の実施例を利用して以下で詳細に説明する。
【図面の簡単な説明】
【００１４】
【図１】移動可能な引出しを備えた家具の斜視図である。
【図２】引出しの斜視図である。
【図３】引出し側壁部と引出し後壁部との間の接続領域の斜視図である。
【図４ａ】装着部分が固定している引出し後壁部の２つの異なる斜視図である。
【図４ｂ】装着部分が固定している引出し後壁部の２つの異なる斜視図である。
【図５】装着部分の斜視図である。
【図６ａ】引出しの後端部領域の斜視図と断面図である。
【図６ｂ】引出しの後端部領域の斜視図と断面図である。
【図７】接続される引出し壁部を備えた引出し側壁部の後端部領域を示す。
【発明を実施するための形態】
【００１５】
図１は家具１の斜視図であり、引出し３は引出し延出ガイド４によって家具枠体２に対して移動可能に支持されている。引出し３はそれぞれ引出し底部９、引出し側壁部１０、および引出し後壁部１１ａの形態の引出し壁部１１を有している。引出し側壁部１０と引出し後壁部１１ａは、以下で説明する装着部分１４によって連結される。引出し延出ガイド４は家具枠体２に固定される枠体レール５と、少なくとも１つの移動可能な引出しレール７とを有し、引出し延出ガイド４は、延出長を増加させるためにオプションで中央レール６をも含むことができる。
【００１６】
図２は引出し３の斜視図であり、前方パネル８は、前方パネル８の後側に予め取り付けられる保持部分（ここでは非図示）によって、引出し側壁部１０に配置された掛け留め装置１２で解放可能に掛け留めできる。引出し側壁部１０は、好適には金属製の中空部材の形態である。引出し壁部１１は木製の引出し後壁部１１ａの形態である。引出し後壁部１１ａは装着部分１４によって引出し側壁部１０に接続される。装着部分１４は引出し側壁部１０の壁部内に完全に受領され、引出し後壁部１１ａは２つの引出し側壁部１０に直接的に当接することができる。
【００１７】
図３は引出し側壁部１０と引出し後壁部１１ａとの間の接続領域を示す。後端領域では、引出し側壁部１０は垂直に延出する陥没部１５を有し、その中には装着部分１４が収容され、引出し側壁部１０に配置された保持要素２０（ここでは非図示）に接続される。引出し後壁部１１ａは装着部分１４にも接続され、その端部が引き出し側壁部１０で陥没部内に突出し、引出し後壁部１１ａは引出し側壁部１０の内側壁部１０ａと幾分重なり合う。よって、装着部分１４は引出し３の内側からは見えず、引出し３に特別な美観を提供する。引出し側壁部１０の断面は実質的に長方形でよい。
【００１８】
図４ａは、引出し後壁部１１ａの端部に固定され、その高さが引出し後壁部１１ａの高さに実質的に等しい装着部分１４を図示する。装着部分１４は、引出し側壁部１０に配置された受領保持要素２０のために少なくとも１つの開口部１６（または複数の開口部）を有する。開口部１６は引出し後壁部１１ａの端部に対して間隔を開けて配置されているが、この実施例では、これは装着部分１４のスペーサ脚部１８によって可能となっており、スペーサ脚部は装着部分１４の固定肢板２１から直角方向に延出しており、引出し後壁部１１ａの端部に当接する。
【００１９】
図４ｂは、引出し後壁部１１ａの後側の斜視図であり、ここでは、引出し後壁部１１ａを固定する固定箇所１９が図示されている。固定箇所１９は装着肢板２１から直角に延出し、引出し後壁部１１ａの後側に当接する装着部分１４の舌部に配置されている。固定箇所１９が存在する舌部の提供は省略することもでき、１以上のネジ体を、装着部分１４の垂直固定肢板２１から引出し後壁部１１ａの端部内に螺合させることも可能である。さらに、装着部分１４のスペーサ脚部１８に引出し後壁部１１ａを抱擁させ、引出し後壁部１１ａの切断縁部を隠遮することも可能である。このように、引出し後壁部１１ａの切断縁部は外側からは見えなくなり、この場合には、それら切断縁部の精密仕上げは不要になる。
【００２０】
図５は装着部分１４の斜視図であり、引出し後壁部１１ａは装着部分１４のＬ形状部内に受領されている。組み立て時にネジ体は固定位置１９を通過し、引出し後壁部１１ａの後側内に螺合される。引出し側壁部１０に取り付けられた保持要素２０を受領するための固定肢板２１には開口部１６が提供されている。装着部分１４の端部から曲げられているスペーサ脚部１８は、引出し後壁部１１ａの端部に対する開口部１６の間隔を設けており、引出し側壁部１０の保持要素２０は開口部１６の背後で確実に係合できる。装着部分１４は一体的に形成されており、好適には金属製である。
【００２１】
図６ａは、引出し３の後端領域の後方からの斜視図である。引出し３に接続される中央レール６と引出しレール７とを備えた引出し延出ガイド４が提供されている。引出し後壁部１１ａは装着部分１４によって引出し側壁部１０に接続されており、引出し後壁部１１ａの端部は引出し側壁部１０の壁厚内に突出している。
【００２２】
図６ｂは図６ａで示す構造体の断面図である。後端領域で、引出し側壁部１０は装着部分１４の開口部内に受領される保持要素２０を有する。好適には、保持要素２０は、装着部分１４の開口部１６にスナップ式に係合できる掛け留め要素の形態である。保持要素２０は、例えば、弾性変形可能な掛け留め突出部の形態で、引出し後壁部１１ａに予め取り付けられている装着部分１４は工具を使用せずに保持要素２０に掛け留め式に係合できる。図示するように、保持要素２０は掛け留めされた形態であり、装着部分の開口部１６内に導入でき、そこから引き抜かれないように固定されている。保持要素２０は、圧力を弾性作用とは反対側に作用させ、装着部分１４（および引出し後壁部１１ａ）を引出し側壁部１０から分離できるように解放位置に配置される。
【００２３】
図７は、木製後壁部１１ａの形態の引出し壁部１１が固定される引出し３の後部領域または引出し側壁部１０の後端部分を示す。引出し壁部１１の端部には装着部分１４が固定されており、装着部分１４は引出し側壁部１０に配置された保持要素２０に掛け留め可能である。図示の実施例は、引出し側壁部１０の高さ方向に間隔が開けられており、引出し長手方向Ｘに対して直角に面する方向で、引出し箱の中央の方向に面した方向に延びる複数の保持要素２０を有している。この取付位置で、装着部分１４は引出し側壁部１０の陥没部１５内に受領され、陥没部１５は平面視でＵ形状である。すなわち、陥没部１５は、引出しの長手方向Ｘに対して横断方向に延びる肢板部２２と２３と、肢板部２２と２３を接続し、引出しの長手方向Ｘに延びる帯体２４とで形成されている。帯体２４は引出し側壁部１０からは分離されているが、そこに位置的に固定された状態で接続されている後端カバーキャップ２５上に提供されている。引出し側壁部１０は、内側壁部１０ａと外側壁部１０ｂを備えた中空部材の形態であり、これら２つの壁部１０ａと１０ｂは実質的平行に延びており、組み立て位置において装着部分１４はこれら２つの壁部１０ａと１０ｂの間に配置されている。引出し側壁部１０には、垂直脚部２９によって連結された２つの垂直に間隔が設けられた水平肢板２７と２８を有した搬送レール２６が接続されている。搬送レール２６は引出し底部９の横縁部に、好適には引出し底部９の縁部方向に開いた陥没内にて取り付けられ、組み立て位置で、中央レール２６は、断面がＵ形状である部分で上方から引出し延出ガイド４の引出しレール７を抱擁する。
【００２４】
本発明は説明した実施例に限定されず、「請求の範囲」内の全ての変形および技術的均等物にも及ぶ。上、下、横、等々の位置的表現は本明細書内に関するものであり、全体的位置が変わればそれに合わせて適宜変更されるものである。
【図１】
0006050361.tif 000002
【図２】
0006050361.tif 000003
【図３】
0006050361.tif 000004
【図４ａ】
0006050361.tif 000005
【図４ｂ】
0006050361.tif 000006
【図５】
0006050361.tif 000007
【図６ａ】
0006050361.tif 000008
【図６ｂ】
0006050361.tif 000009
【図７】
0006050361.tif 000010